(57)【要約】      （修正有）【課題】粘着テープとゴムとを利用して簡単にゴム入り装飾具を作ることができるゴム入り装飾具作成装置を提供する。【解決手段】複数のローラ２ａ〜２ｅにループ状のゴムを掛けるとともに、このゴムの内外に設けられたテープ支持部材６ａ，６ｂにロールテープをセットし、ローラ回転装置８によって挟持ローラ２ａ，５を回転させ、この挟持ローラ２ａ，５によって、ロールテープから繰り出される粘着テープの粘着面同士をゴムを挟むようにして貼り合わせるように構成されている。【選択図】図２
0003201709.tif 000002
【実用新案登録請求の範囲】
【請求項１】
互いに平行な軸を有し輪を拡げた形でループ状のゴムを掛止可能な第１の挟持ローラを含む複数のローラと、
前記複数のローラに掛止されたゴムの輪の内側である第１の領域に設けられ一面に粘着面が形成された第１の粘着テープが巻回された第１のロールテープを回転可能に支持する第１のテープ支持部材と、
前記複数のローラに掛止されたゴムの輪の外側である第２の領域に設けられ一面に粘着面が形成された第２の粘着テープが巻回された第２のロールテープを回転可能に支持する第２のテープ支持部材と、
前記第２の領域に設けられた第２の挟持ローラと、
を備え、
前記第１の挟持ローラと前記第２の挟持ローラとのうち少なくとも一方のローラは駆動ローラとして構成され、
前記駆動ローラを回転させ、前記複数のローラに掛止されたゴムを回転させるローラ回転装置と、を更に備え、
前記第１の挟持ローラ及び前記第２の挟持ローラは、前記ローラ回転装置による回転に伴って、前記第１の粘着テープ及び前記第２の粘着テープを前記ゴムの輪の内外から引き込んで、前記第１の粘着テープの粘着面と、前記第２の粘着テープの粘着面とを前記ゴムを間にして互いに貼り合わせるように構成されている、
ことを特徴とするゴム入り装飾具作成装置。
【請求項２】
前記第１の挟持ローラと前記第２の挟持ローラとは離接可能に構成され、
前記第１の挟持ローラと前記第２の挟持ローラと互いに接近した位置に保持可能なローラ位置保持手段を更に備える、
ことを特徴とする請求項１に記載のゴム入り装飾具作成装置。
【請求項３】
前記第２の挟持ローラは、前記第１の挟持ローラに対して離接する方向に動作可能に構成されていることを特徴とする請求項２に記載のゴム入り装飾具作成装置。
【請求項４】
前記第１の挟持ローラと前記第２の挟持ローラとを離間させるスプリングを備えることを特徴とする請求項２又は請求項３に記載のゴム入り装飾具作成装置。
【請求項５】
前記複数のローラには、それぞれ、前記ゴムの軸方向への移動を防止するためのゴム掛け用の溝が全周に亘って形成されていることを特徴とする請求項１から請求項４のいずれか一項に記載のゴム入り装飾具作成装置。
【請求項６】
前記第１の挟持ローラの外周と前記第２の挟持ローラの外周とには、それぞれ、軸線に平行に延在する凸条が円周方向に等間隔に複数形成されていることを特徴とする請求項１から５のいずれか一項に記載のゴム入り装飾具作成装置。
【請求項７】
加工物導入部及び加工物導出部を有し、前記第１の挟持ローラと前記第２の挟持ローラとを被覆するカバー部材を備えることを特徴とする請求項１から６のいずれか一項に記載のゴム入り装飾具作成装置。
【請求項８】
前記駆動ローラを直接的に回転させるダイヤル摘みを備えることを特徴とする請求項１から７のいずれか一項に記載のゴム入り装飾具作成装置。
【請求項９】
前記複数のローラのうちの少なくとも１つは、前記ゴムの輪を拡縮させるように動作可能に構成され、拡大位置で固定可能に構成されていることを特徴とする請求項１から８のいずれか一項に記載のゴム入り装飾具作成装置。
【考案の詳細な説明】
【技術分野】
【０００１】
本考案は、ゴム入り装飾具作成装置に関する。
【背景技術】
【０００２】
従来、ゴム入り装飾具としてシュシュが知られている。シュシュは、一般的には、布とゴムを用いた、腕や頭につけるドーナツ状の装身具である。非特許文献１には、布代わりのマスキングテープと輪ゴムとを利用したシュシュの作り方の一例が開示されている。ここで、マスキングテープとは、塗装などの際、作業箇所以外を汚さないようにするために貼る、保護用の粘着テープであり、最近では装飾用としても利用されている。
【０００３】
続いて、この文献１に開示されているシュシュの作り方について説明する。
先ず、用意した箱に粘着面が表となるようにマスキングテープを１周分巻回したところで、マスキングテープを切断し、端部同士を貼り合わせる。次に、箱に巻回したマスキングテープの粘着面に輪ゴムを掛ける。次に、輪ゴムの上から、今度はマスキングテープの粘着面が裏となるようにマスキングテープを１周分巻回し、先に巻回しておいたマスキングテープの粘着面と、後に巻回したマスキングテープの粘着面とを輪ゴムを間にして１周分貼り合わせる。このとき、指で擦って、粘着面同士を確実に貼り合わせる。そして、後に巻回したマスキングテープの残りの部分を切断した後、箱に巻回した部分を箱から外す。これによって、輪ゴムが縮み、ギャザー入りのシュシュが完成する。
このようにして、マスキングテープと輪ゴムとを利用すれば、自分好みのギャザー入りのシュシュを作ることができる。
【先行技術文献】
【非特許文献】
【０００４】
【非特許文献１】http://atelier.woman.excite.co.jp/creation/16315.html
【考案の概要】
【考案が解決しようとする課題】
【０００５】
しかしながら、箱に粘着面が表となるようにマスキングテープを１周分巻回する作業は、粘着面が指に貼り付いたりして煩雑である。また、２つのマスキングテープの粘着面同士を互いがずれないように上手に貼り合わせることは、小さな子供にとっては容易でないという問題がある。
本考案は、粘着テープとゴムとを利用して簡単にゴム入り装飾具を作ることができるゴム入り装飾具作成装置を提供することを目的としている。
【課題を解決するための手段】
【０００６】
請求項１に記載のゴム入り装飾具作成装置は、
互いに平行な軸を有し輪を拡げた形でループ状のゴムを掛止可能な第１の挟持ローラを含む複数のローラと、
前記複数のローラに掛止されたゴムの輪の内側である第１の領域に設けられ一面に粘着面が形成された第１の粘着テープが巻回された第１のロールテープを回転可能に支持する第１のテープ支持部材と、
前記複数のローラに掛止されたゴムの輪の外側である第２の領域に設けられ一面に粘着面が形成された第２の粘着テープが巻回された第２のロールテープを回転可能に支持する第２のテープ支持部材と、
前記第２の領域に設けられた第２の挟持ローラと、
を備え、
前記第１の挟持ローラと前記第２の挟持ローラとのうち少なくとも一方のローラは駆動ローラとして構成され、
前記駆動ローラを回転させ、前記複数のローラに掛止されたゴムを回転させるローラ回転装置と、を更に備え、
前記第１の挟持ローラ及び前記第２の挟持ローラは、前記ローラ回転装置による回転に伴って、前記第１の粘着テープ及び前記第２の粘着テープを前記ゴムの輪の内外から引き込んで、前記第１の粘着テープの粘着面と、前記第２の粘着テープの粘着面とを前記ゴムを間にして互いに貼り合わせるように構成されている、
ことを特徴とする。
【０００７】
請求項２に記載のゴム入り装飾具作成装置は、請求項１に記載のゴム入り装飾具作成装置であって、前記第１の挟持ローラと前記第２の挟持ローラとは離接可能に構成され、
前記第１の挟持ローラと前記第２の挟持ローラと互いに接近した位置に保持可能なローラ位置保持手段を更に備える、
ことを特徴とする。
【０００８】
請求項３に記載のゴム入り装飾具作成装置は、請求項２に記載のゴム入り装飾具作成装置であって、前記第２の挟持ローラは、前記第１の挟持ローラに対して離接する方向に動作可能に構成されていることを特徴とする。
【０００９】
請求項４に記載のゴム入り装飾具作成装置は、請求項２又は請求項３に記載のゴム入り装飾具作成装置であって、前記第１の挟持ローラと前記第２の挟持ローラとを離間させるスプリングを備えることを特徴とする。
【００１０】
請求項５に記載のゴム入り装飾具作成装置は、請求項１から請求項４のいずれか一項に記載のゴム入り装飾具作成装置であって、前記複数のローラには、それぞれ、前記ゴムの軸方向への移動を防止するためのゴム掛け用の溝が全周に亘って形成されていることを特徴とする。
【００１１】
請求項６に記載のゴム入り装飾具作成装置は、請求項１から５のいずれか一項に記載のゴム入り装飾具作成装置であって、前記第１の挟持ローラの外周と前記第２の挟持ローラの外周とには、それぞれ、軸線に平行に延在する凸条が円周方向に等間隔に複数形成されていることを特徴とする。
【００１２】
請求項７に記載のゴム入り装飾具作成装置は、請求項１から６のいずれか一項に記載のゴム入り装飾具作成装置であって、加工物導入部及び加工物導出部を有し、前記第１の挟持ローラと前記第２の挟持ローラとを被覆するカバー部材を備えることを特徴とする。
【００１３】
請求項８に記載のゴム入り装飾具作成装置は、請求項１から７のいずれか一項に記載のゴム入り装飾具作成装置であって、前記駆動ローラを直接的に回転させるダイヤル摘みを備えることを特徴とする。
【００１４】
請求項９に記載のゴム入り装飾具作成装置は、請求項１から８のいずれか一項に記載のゴム入り装飾具作成装置であって、前記複数のローラのうちの少なくとも１つは、前記ゴムの輪を拡縮させるように動作可能に構成され、拡大位置で固定可能に構成されていることを特徴とする。
【考案の効果】
【００１５】
請求項１に記載のゴム入り装飾具作成装置によれば、第１の挟持ローラ及び前記第２の挟持ローラによって、第１の粘着テープ及び第２の粘着テープをゴムの輪の内外から引き込んで、粘着面同士を貼り合わせるので、粘着面で手が汚れることが少なくなるとともに、簡単にゴム入り装飾具を作成することができる。
【００１６】
請求項２及び請求項３に記載のゴム入り装飾具作成装置によれば、第１の挟持ローラと第２の挟持ローラとを離間させることができるので、複数のローラへのゴム掛けが簡単に行えることになる。特に、請求項３に記載のゴム入り装飾具作成装置によれば、第２の挟持ローラが第１の挟持ローラに対して離接する方向に動作可能に構成されているので、ゴム掛けが簡単となる。
【００１７】
請求項４に記載のゴム入り装飾具作成装置によれば、ローラ位置保持手段による保持を解除させれば、スプリングの付勢力によって第２の挟持ローラを第１の挟持ローラから離間させることができるので、労少なくして第１の挟持ローラ及び第２の挟持ローラに離間位置を取らせることができる。
【００１８】
請求項５に記載のゴム入り装飾具作成装置によれば、ゴム掛け用溝によってゴムの回転面を一定位置に保つことができるので、綺麗なギャザー入りの装飾具を作成することができる。
【００１９】
請求項６に記載のゴム入り装飾具作成装置によれば、凸条によって、簡単に綺麗なギャザー入りの装飾具を作成することができる。
【００２０】
請求項７に記載のゴム入り装飾具作成装置によれば、２つの挟持ローラの間に手が引き込まれることが防止されるとともに、作成中のゴミの混入が防止できる。
【００２１】
請求項８に記載のゴム入り装飾具作成装置によれば、ダイヤル摘みで駆動ローラを直接的に回転させるだけなので、構造簡素なゴム入り装飾具作成装置が実現できる。
【００２２】
請求項９に記載のゴム入り装飾具作成装置によれば、縮小位置でゴムを複数のローラに掛けられるので、複数のローラへのゴム掛けが簡単に行えることになる。
【図面の簡単な説明】
【００２３】
【図１】実施形態のゴム入り装飾具作成装置の使用状態を示した斜視図である。
【図２】図１のゴム入り装飾具作成装置の一部を分解して示した斜視図である。
【図３】図１のゴム入り装飾具作成装置の一対の挟持ローラを示した斜視図である。
【図４】図１のゴム入り装飾具作成装置の一部の部材を取り除いた状態を示した平面図である。
【図５】図１のゴム入り装飾具作成装置のテープ支持部材の内部構造を示した図である。
【考案を実施するための形態】
【００２４】
以下、本考案の実施形態について図面を参照しながら説明する。
（全体構成）
図１は、実施形態のゴム入り装飾具作成装置の使用状態を示した斜視図、図２は、ゴム入り装飾具作成装置の一部を分解して示した斜視図である。
このゴム入り装飾具作成装置１００は、輪ゴム１をローラ２ａ〜２ｅに掛けるとともに、第１のロールテープ３ａと第２のロールテープ３ｂとを所定位置に設置し、第１のロールテープ３ａから粘着テープ３０ａを引き出して、粘着テープ３０ａの先端部の粘着面を輪ゴム１の内側に貼り付け、一方、第２のロールテープ３ｂから粘着テープ３０ｂを引き出して、粘着テープ３０ｂの先端と粘着テープ３０ａの先端とを合致させるようにして、粘着テープ３０ｂの先端部の粘着面を輪ゴム１の外側に貼り付ける。その際に、粘着テープ３０ａの粘着面と粘着テープ３０ｂの粘着面とが輪ゴム１を間にして確実に貼り合わせられるように指先で粘着テープ３０ａと粘着テープ３０ｂとを摘む。そして、ダイヤル摘み４を所定方向に回転させる。これにより、輪ゴム１を間に挟んだ粘着テープ３０ａ，３０ｂの先端部はローラ２ａとローラ５との間に引き込まれ、このローラ２ａとローラ５とによって順次に粘着テープ３０ａの粘着面と粘着テープ３０ｂの粘着面とが輪ゴム１を間にして確実に貼り合わせられる。そうして、輪ゴム１を間に挟んだ粘着テープ３０ａ，３０ｂの先端部がローラ２ｂ〜２ｅを経て１周回ってローラ２ａを通過したら、ハサミで残りの粘着テープ３０ａ，３０ｂを切断する。
これにより、輪ゴム１を間に挟んだ粘着テープ３０ａ，３０ｂのループが完成する。そして、このループを外すと、ゴム入り装飾具２００が出来上がる。この際、輪ゴム１は縮み粘着テープ３０ａ，３０ｂの長さよりも短いので、粘着テープ３０ａ，３０ｂが多数箇所で折れ曲がりゴム入り装飾具２００にはギャザーが形成される。
【００２５】
（細部）
１．輪ゴム１について
この実施形態で用いられている輪ゴム１は、無端のループ状の輪ゴムであるが、例えば、１本の線状又は帯状のゴムの端同士を結んだり貼り合わせたりして、ループ状のゴムにしたものでも使用することができることは勿論である。
【００２６】
２．ロールテープ３ａ,３ｂについて
この実施形態で用いられるロールテープ３ａ,３ｂは、円筒状の芯材３１ａ，３１ｂと一面が粘着面である粘着テープ３０ａ，３０ｂとを有し、粘着テープ３０ａ，３０ｂを粘着面が芯材３１ａ，３１ｂを向くように芯材３１ａ，３１ｂに巻回したものである。粘着テープ３０ａ，３０ｂの粘着面とは反対側の面の色はロールテープ３ａ，３ｂ間で同じでも、異なっていてもよい。さらには、粘着テープ３０ａ，３０ｂの粘着面とは反対側の面に模様があってもよい。
【００２７】
３．ゴム入り装飾具作成装置１００について
（１）ローラ２ａ〜２ｅ
ゴム入り装飾具作成装置１００は基盤１１を備えている。この基盤１１にはゴム掛け用のローラ２ａ〜２ｅが立設されている。ローラ２ｂ〜２ｅは、ローラ２ｃ，２ｄが互いに接近した位置にあるときは長方形の頂点に軸線を有し、ローラ２ｃ，２ｄが互いに離間した位置にあるときは台形の頂点に軸線を有している。また、ローラ２ａはローラ２ａ〜２ｅに掛けた輪ゴム１の輪の内側に位置している。
このうちローラ２ａは、図３に示すように、ロールテープ３ａから繰り出された粘着テープ３０ａと、輪ゴム１と、ロールテープ３ｂから繰り出された粘着テープ３０ｂとを、後述のローラ５との間で挟持する挟持ローラ（第１の挟持ローラ）を構成している。このローラ２ａは上下２つの柱状パーツから構成されている。上下２つの柱状パーツのそれぞれの外周にはスプライン状の歯が所定間隔で形成されている。換言すれば、ローラ２ａの外周には、軸線に平行に延在する凸条が円周方向に等間隔に複数形成されている。また、このローラ２ａの上下方向中央にはゴム掛け用の溝２０ａが全周に亘って形成されている。この溝２０ａは、輪ゴム１を一定位置に保持するためのものである。
一方、残りのローラ２ｂ〜２ｅは同じ形となっており、ローラ２ｂ〜２ｅには上下方向中央にゴム掛け用の溝２０ｂ〜２０ｅが全周に亘って形成されている。この溝２０ｂ〜２０ｅも、輪ゴム１を一定位置に保持するためのものである。
【００２８】
図４は、ゴム入り装飾具作成装置１００の一部の部材を取り除いた状態の平面図である。
この図に示すように、ローラ２ｃ,２ｄは基盤１１の幅方向外方に引出し可能に構成されている。
すなわち、基盤１１の左側には幅方向に移動可能なスライド部材１２ｃが設けられている。スライド部材１２ｃの右端部は基盤１１の内方に向けて僅かながら屈曲され、このスライド部材１２ｃの右端部にはＬ字状の長孔１２０ｃが形成されている。この長孔１２０ｃは、具体的には、スライド部材１２ｃの長さ方向に延びる直線状の長尺の孔部と、この直線状の孔部に右端で連設されて基盤１１の内側に向けて僅かながら屈曲された短尺の孔部とから構成されている。この長孔１２０ｃには基盤１１の底板に立設された円筒状のボス１１ａが挿入されている。そして、このスライド部材１２ｃの左端部は、基盤１１に形成されたＵ字状の切欠き部１１ｃから露出している（図２参照）。このスライド部材１２ｃの左端部にはローラ２ｃが回転可能に取り付けられている。このローラ２ｃは、スライド部材１２ｃを基盤１１に押し込んだ際に、基盤１１のＵ字状の切欠き部１１ｃの縁に当接する。この位置がスライド部材１２ｃの押し込み位置である。一方、このスライド部材１２ｃは、基盤１１から引き出した際に、ボス１１ａがＬ字状の長孔１２０ｃのうち右端の屈曲した部分の孔部に来るように動作させることで、引き出し位置に固定される。
【００２９】
一方、図４に示すように、基盤１１の右側には幅方向に移動可能なスライド部材１２ｄが設けられている。スライド部材１２ｄの左端部は基盤１１の内方に向けて僅かながら屈曲され、このスライド部材１２ｄの左端部にはＬ字状の長孔１２０ｄが形成されている。この長孔１２０ｄは、具体的には、スライド部材１２ｄの長さ方向に延びる直線状の長尺の孔部と、この直線状の孔部に左端で連設されて基盤１１の内側に向けて僅かながら屈曲された短尺の孔部とから構成されている。この長孔１２０ｄには基盤１１の底板に立設されたボス１１ｂが挿入されている。そして、このスライド部材１２ｄの右端部は、基盤１１に形成されたＵ字状の切欠き部１１ｄから露出している（図２参照）。このスライド部材１２ｄの右端部にはローラ２ｄが回転可能に取り付けられている。このローラ２ｄは、スライド部材１２ｄを基盤１１に押し込んだ際に、基盤１１のＵ字状の切欠き部１１ｄの縁に当接する。この位置がスライド部材１２ｄの押し込み位置である。一方、このスライド部材１２ｄは、基盤１１から引き出した際に、ボス１１ｂがＬ字状の長孔１２０ｄのうち左端の屈曲した部分の孔部に来るように動作させることで、引き出し位置に固定される。
【００３０】
（２）ローラ５
ローラ５は第２の挟持ローラとして機能するとともに、駆動ローラとして機能する。このローラ５の外周には、外周にはスプライン状の歯が所定間隔で形成されている。より具体的には、ローラ５の外周には、軸線に平行に延在する凸条が円周方向に等間隔に複数形成されている。このローラ５はローラ２ａに対して離接可能に設けられている。
すなわち、ローラ５は、基盤１１内に設けられ軸５０ａを中心に回動可能な第１のレバー５０に立設されている。この第１のレバー５０は軸５０ａに巻回されたトーションスプリング（図示せず）によってローラ５がローラ２ａから離間する方向に付勢されている。
【００３１】
また、このゴム入り装飾具作成装置１００は、ローラ２ａに対して接近した位置と離間した位置とにローラ５を保持するための第２のレバー５１を備えている。この第２のレバー５１は、軸５１ａを中心に回動可能に構成されている。この第２のレバー５１は軸５１ａに巻回されたトーションスプリング（図示せず）によって自由端側が第１のレバー５０に接近する方向に付勢されている。この第２のレバー５１には、第１のレバー５０の先端を係止するための２つの切欠き部５１ｂ，５１ｃが形成されている。また、この第２のレバー５１の自由端部には摘み５２が形成され、この摘み５２は基盤１１の弧状の長孔１１ｅに挿入され、基盤１１の上面から突出している（図１及び図２参照）。
【００３２】
続いて、第１のレバー５０と第２のレバー５１との働きについて説明する。なお、図４に示すように、第１のレバー５０の先端が第２のレバー５１の切欠き部５１ｂに係合されている状態から説明する。
この状態で、摘み５２を第２のレバー５１が第１のレバー５０に対して離間する方向に動作させると、第１のレバー５０の先端が第２のレバー５１の切欠き部５１ｂから外れる。すると、第１のレバー５０が自身のトーションスプリングの付勢力によって回転し、ローラ５がローラ２ａから離れ、第１のレバー５０の先端は第２のレバー５１の切欠き部５１ｃに係合する。そして、この位置で、摘み５２から手を離すと、第２のレバー５１が自身のトーションスプリングの付勢力によって第１のレバー５０に接近し、第１のレバー５０の先端が第２のレバー５１の切欠き部５１ｃに係合した位置が保持される。
一方、ローラ５がローラ２ａから離間した位置からローラ２ａに接近した位置とする場合には、ローラ５を手でローラ２ａに強制的に接近させる。これによって、第１のレバー５０の先端が第２のレバー５１を押圧してレバー５０の先端が切欠き部５１ｂに係合する。この位置は、第２のレバー５１自身のトーションスプリングの付勢力によって保持される。
【００３３】
（３）テープ支持部材６ａ，６ｂ
この作成装置１００は、ロールテープ３ａを回転可能に支持するテープ支持部材６ａと、ロールテープ３ｂを回転可能に支持するテープ支持部材６ｂとを備える。
このうちテープ支持部材６ａは、ローラ２ａ〜２ｅに掛止された輪ゴム１の輪の内側である第１の領域に設けられている。また、テープ支持部材６ｂは、ローラ２ａ〜２ｅに掛止された輪ゴム１の輪の外側である第２の領域に設けられている。
このテープ支持部材６ａ，６ｂの構造について説明する。なお、テープ支持部材６ａとテープ支持部材６ｂとは同じ構造なのでテープ支持部材６ａの構造について説明し、テープ支持部材６ｂの構造についての説明は省略する。
図５は、テープ支持部材６ａの内部構造を示した図である。このテープ支持部材６ａには、摘み６０によって上下方向に操作されるラック部材６１が設けられている。このラック部材６１のラック歯はピニオン６３に噛合している。また、ピニオン６３を挟んでラック部材６１の反対側には他のラック部材６４が設けられている。このラック部材６４のラック歯はピニオン６３に噛合している。このラック部材６４は、ロールテープ３ａを下方から支持するテープ支持台６５に連結されている。テープ支持台６５はコイルスプリング６６によって上方に付勢され、自重によって落下しないようにされている。
このテープ支持部材６ａにロールテープ３ａを取り付けるにあたっては、ロールテープ３ａの芯材３１ａに下方から摘み６０を潜らせるようにしてテープ支持部材６ａにロールテープ３ａを取り付ける。その後に、粘着テープ３０ａの幅方向中央と輪ゴム１とが同じ高さになるように摘み６０で調節する。摘み６０を上下させると、テープ支持台６５は摘み６０とは反対方向に動作する。摘み６０とテープ支持台６５とでロールテープ３ａを挟み込めば、幅の異なるロールテープを使用しても粘着テープ３０ａのセンターは輪ゴム１の回転面と同じ高さとなる。
【００３４】
（４）カバー部材７
図２に示すように、カバー部材７は平面視で算用数字の「８」字状に形成されている。このカバー部材７はローラ２ａ及びローラ５の組の上面及び周面を覆うためのものである。このカバー部材７には弾性片７０が形成されている。この弾性片７０には爪孔７１が形成されている。そして、この爪孔７１は基盤１１の上面に付設された係止爪１１ｆに係合することで、カバー部材７が基盤１１に固定されるようになっている。
また、このカバー部材７の周面には、加工物導入用スリット（図示せず）と加工物導出用スリット７２が形成されている。この加工物導入用スリットと加工物導出用スリット７２とはカバー部材７の下端にまで達している。
なお、カバー部材７の天井下面には図示しない軸が付設され、この軸は、ローラ２ａ及びローラ５の組にカバー部材７を被せた際に、ローラ２ａの軸穴２００ａ（図３参照）に嵌合する。また、カバー部材７の天井下面には図示しない円筒部が付設され、この円筒部は、ローラ２ａ及びローラ５の組にカバー部材７を被せた際に、ローラ５の環状凹部５０ｃ（図３参照）に嵌合する。これにより、ローラ２ａとローラ５とが接近位置に固定される。つまり、カバー部材７はローラ位置保持手段として機能する。
【００３５】
（５）ローラ回転装置８
このゴム入り装飾具作成装置１００はローラ回転装置８としてダイヤル摘み８０を有している。ダイヤル摘み８０の軸８１は角軸となっており、この軸８１はローラ５の角状の軸穴５０ｂ（図３参照）に嵌合可能となっている。このダイヤル摘み８０はローラ５に着脱可能となっており、ローラ５に装着した状態で、ダイヤル摘み８０を回すと、ローラ５が回転するようになっている。
【００３６】
（使用方法）
摘み５２を操作し、ローラ５をローラ２ａから離間させた状態にし、ローラ２ｃ，２ｄを基盤１１に押し込んだ状態で輪ゴム１をローラ２ａ〜２ｅに掛ける。次に、ローラ２ｃ，２ｄを基盤１１から引き出す。これによって、輪ゴム１の輪が拡大される。次に、テープ支持部材６ａ，６ｂにロールテープ３ａ，３ｂをセットする。粘着テープ３０ｂの先端と粘着テープ３０ａの先端とを合致させるようにして、輪ゴム１の内外に粘着テープ３０ａ，３０ｂの先端部を貼り付けるとともに、粘着テープ３０ａ，３０ｂの先端部の粘着面同士を貼り合わせる。次に、カバー部材７をローラ２ａ及びローラ５の組に被せるとともに、ダイヤル摘み８をローラ５に取り付ける。そして、ダイヤル摘み８を所定の方向に回転する。これによって、輪ゴム１とともに粘着テープ３０ａ，３０ｂがローラ２ａとローラ５との間に引き込まれ、輪ゴム１を間にして粘着テープ３０ｂの粘着面と粘着テープ３０ａの粘着面とが順次に貼り合わされ、互いに貼り合わされた粘着テープ３０ａ，３０ｂは輪ゴム１とともにローラ２ｂ〜２ｅの回りを回転する。そして、輪ゴム１及び粘着テープ３０ａ，３０ｂが１周分回ったら、粘着テープ３０ａ，３０ｂをハサミで切断する。その後、ダイヤル摘み８及びカバー部材７を取り去り、摘み５２を操作し、ローラ５をローラ２ａから離間させるとともに、ローラ２ｃ，２ｄを基盤１１に押し込む。この状態で、ループ状となった輪ゴム１及び粘着テープ３０ａ，３０ｂを取り外す。
これにより、ゴム入り装飾具２００が出来上がる。そして、このようにして作成されたゴム入り装飾具２００は腕、足又は頭に付けたり、袋を閉じたり、本のバンド等として利用される。
【００３７】
このように構成されたゴム入り装飾具作成装置１００の主たる効果を説明すれば次の通りである。
ゴム入り装飾具２００の製造にあたり、輪ゴム１の内外に粘着テープ３０ａ，３０ｂの先端部を貼り付け、後は、ダイヤル摘み８０を回すだけで、輪ゴム１を間にして粘着テープ３０ｂの粘着面と粘着テープ３０ａの粘着面とが順次に貼り合わされるので、粘着面で手を汚す機会が著しく少なくなる。
また、輪ゴム１の高さ位置とロールテープ３ａ，３ｂの高さ位置とを合わせておきさえすれば、ずれることなく、輪ゴム１を間にして粘着テープ３０ｂの粘着面と粘着テープ３０ａの粘着面とが順次に貼り合わされることになる。
【００３８】
（考案の変形例）
以上、本考案の実施形態について説明したが、本考案は、かかる実施形態に限定されず、その要旨を逸脱しない範囲で種々変形可能であることは言うまでもない。
例えば、上記実施形態では、手動で駆動ローラ（ローラ５）を動作させたが、モータによって駆動ローラを動作させてもよい。
【００３９】
また、上記実施形態では、１本の輪ゴム１を粘着テープ３０ａ，３０ｂで挟み込んだが、複数本の輪ゴム１を粘着テープ３０ａ，３０ｂで挟み込むようにしてもよい。
【００４０】
また、上記実施形態では、ローラ２ａ〜２ｅの軸線は鉛直方向としているが、互いに平行であるならばそれに限定されない。要は、ローラ２ａ〜２ｅの軸線とテープ支持部材６ａ，６ｂに支持されたロールテープ３ａ，３ｂの軸線とが平行となっていることである。
【００４１】
また、上記実施形態では、ローラ２ａとローラ５とが離接可能に構成され、トーションスプリング（図示せず）によってローラ５がローラ２ａから離間する方向に付勢され、カバー部材７によってローラ２ａとローラ５とが接近位置に固定（保持）される構造としたが、ローラ２ａとローラ５とが離接可能に構成され、トーションスプリングによってローラ５がローラ２ａから接近する方向に付勢されてローラ２ａとローラ５とが接近位置に固定（保持）される構造であってよい。或いは、ローラ２ａとローラ５とが接近位置に予め設けられ、その間に輪ゴム１を強制的に挟持させる構造であってもよい。
【符号の説明】
【００４２】
１     輪ゴム
２ａ   第１の挟持ローラ
５     第２の挟持ローラ
２ｂ〜２ｅ    ローラ
３ａ，３ｂ    ロールテープ
６ａ，６ｂ    テープ支持部材
７     カバー部材
８     ローラ回転装置
３０ａ，３０ｂ       粘着テープ
７２   加工物導出用スリット
１００ 装飾具作成装置
２００ 装飾具
【図１】
0003201709.tif 000003
【図２】
0003201709.tif 000004
【図３】
0003201709.tif 000005
【図４】
0003201709.tif 000006
【図５】
0003201709.tif 000007